(57)【要約】【課題】本発明は、機密データのセキュリティ性をより向上させつつ意図しない不具合等でのデータの消失を防止するデータ蓄積装置に関する。【解決手段】データ蓄積装置１は、一時的にデータを記録する固定磁気ディスク装置２と、恒久的にデータを記録する光磁気ディスク書込装置３及び光磁気ディスク４と、を備え、ネットワークＮＷを介して送信されてきたデータを、当該データの特性に応じて、固定磁気ディスク装置２と光磁気ディスク４を適宜使用して記録する。したがって、データの特性に応じてセキュリティ強度の異なる固定磁気ディスク装置２と光磁気ディスク４に記録し、効率的にかつ適切にデータの機密と消失を抑制することができる。【選択図】          図１
2006011586.tif 000002
【特許請求の範囲】
【請求項１】
ネットワークに接続され、当該ネットワークから送信されてきたデータをデータ蓄積手段に記録するデータ蓄積装置において、前記データ蓄積手段が、一時的に前記データを記録する第１データ蓄積手段と、恒久的に前記データを記録する第２データ蓄積手段と、を備え、前記ネットワークを介して送信されてきたデータを、当該データの特性に応じて、前記第１データ蓄積手段と前記第２データ蓄積手段を適宜使用して記録することを特徴とするデータ蓄積装置。
【請求項２】
前記データ蓄積装置は、前記第１データ蓄積手段が、固定磁気ディスク装置であることを特徴とする請求項１記載のデータ蓄積装置。
【請求項３】
前記データ蓄積装置は、前記第２データ蓄積手段が、光磁気ディスクと当該光磁気ディスクへの前記データの読み書きを行う光磁気ディスク書込装置であることを特徴とする請求項１または請求項２記載のデータ蓄積装置。
【請求項４】
前記データ蓄積装置は、前記第１データ蓄積手段が、前記ネットワークを介して参照可能な状態で前記データを記録することを特徴とする請求項１から請求項３のいずれかに記載のデータ蓄積装置。
【請求項５】
前記データ蓄積装置は、前記第２データ蓄積手段が、前記ネットワークから遮断されて参照不可能な状態で前記データが記録されていることを特徴とする請求項１から請求項４のいずれかに記載のデータ蓄積装置。
【請求項６】
前記データ蓄積装置は、前記送信されてくるデータが、当該データの本体の他に、前記データの特性を示す情報として、当該データを記録しておく存在時間と当該存在時間が経過した後に当該データを消去するか継続して保存するか等の処理情報とを含むデータ管理情報が付加されており、当該データ管理情報に基づいて当該データの前記第１データ蓄積手段と前記第２データ蓄積手段への蓄積時間とその後の処理を実行することを特徴とする請求項１から請求項５のいずれかに記載のデータ蓄積装置。
【請求項７】
前記データ蓄積装置は、前記送信されてきたデータが、前記データ管理情報の付加されているデータであると、当該データを前記第１データ蓄積手段と前記データ蓄積手段とに記録し、前記送信されてきたデータが前記データ管理情報の付加されていないデータであると、当該データを前記第１データ蓄積手段にのみ記録することを特徴とする請求項６記載のデータ蓄積装置。
【発明の詳細な説明】
【技術分野】
【０００１】
本発明は、データ蓄積装置に関し、詳細には、機密データのセキュリティ性をより向上させつつ意図しない不具合等でのデータの消失を防止するデータ蓄積装置に関する。
【背景技術】
【０００２】
近年、インターネット等のネットワークに接続され、各種データをデータ蓄積メモリに蓄積して各種サービスに利用するようになってきている。
【０００３】
このようなデータ蓄積装置においては、データの機密性を如何に確保するかが重要な問題となっている。
【０００４】
そして、従来、情報を分割して複数の蓄積装置に蓄積し、利用時に分割した情報を収集・統合して出力する情報管理システムが提案されている（特許文献１参照）。
【０００５】
すなわち、この従来技術は、複数のデータ蓄積装置に機密データを分割して管理し、万一データを不正入手されても全てを揃えないとデータが復元されにくくしている。
【０００６】
また、本出願人は、先に、外部装置からデータを受け取って印刷するデジタル複写機において、外部装置から受信したデータを日時を付与して記憶手段に蓄積し、当該日時毎に管理ファイルで管理するデジタル複写機を提案している（特許文献２参照）。
【０００７】
この従来技術によれば、記憶手段に蓄積された各データに付けられた日時ごとに管理ファイルで管理して、表示手段の管理ファイルの中から選択されたデータを印刷出力することができる。
【０００８】
さらに、本出願人は、画像処理装置の画像読取手段で読み取った画像データを、自動的に、内部記憶手段または通信ネットワークで接続された外部記憶手段に記憶させ、必要なときに、当該記憶手段から画像データを読み出す文書管理システムにおいて、画像処理装置が、画像読取手段から入力された画像データ中の文字を認識して、当該認識結果に基づいて画像データ中に特定の記号または記号列が含まれていると、その旨をオペレータに通知する文書管理システムを提案している（特許文献３参照）。
【０００９】
すなわち、この従来技術は、コピー処理等を行おうとしているオペレータに、その文書画像の画像データが自動保存されることを知らせて、その文書の機密度に関して注意を促すことにより、オペレータの知らないうちに機密文書が外部の記憶装置等に保存されてしまうのを防止して、機密文書の漏洩を防止している。
【００１０】
【特許文献１】特開２００１−３３７９１８号公報
【特許文献２】特開平１０−１９０９２１号公報
【特許文献３】特開２００１−２６６１１２号公報
【発明の開示】
【発明が解決しようとする課題】
【００１１】
しかしながら、上記特許文献１及び特許文献２記載の従来技術にあっては、データ蓄積装置には多くの機密データが存在しており、また、データ蓄積装置がネットワークに接続されているため、その全てのデータに対して、不正アクセスまたは不注意による機密データの流出を完全に防ぐことは困難である。
【００１２】
また、特許文献３記載の従来技術は、オペレータに通知することで、オペレータに注意を促すことはできるが、オペレータに負担がかかるとともに、より適切かつ効率的に機密を保護する上で、改良の必要があった。
【００１３】
さらに、機密データは重要なデータであり、意図しない不具合等で消失することを防止することが重要である。
【００１４】
そこで、本発明は、機密データのセキュリティ性をより向上させつつ意図しない不具合等でのデータの消失を防止するデータ蓄積装置を提供することを目的としている。
【００１５】
具体的には、請求項１記載の発明は、ネットワークから送信されてきたデータをデータ蓄積手段に記録するに際して、データ蓄積手段として、一時的にデータを記録する第１データ蓄積手段と、恒久的にデータを記録する第２データ蓄積手段と、を設け、ネットワークを介して送信されてきたデータを、当該データの特性に応じて、第１データ蓄積手段と第２データ蓄積手段を適宜使用して記録することにより、データの特性に応じてセキュリティ強度の異なるデータ蓄積手段に記録するとともに、データの消失を抑制し、効率的にかつ適切にデータの機密と消失を抑制するデータ蓄積装置を提供することを目的としている。
【００１６】
請求項２記載の発明は、第１データ蓄積手段として、固定磁気ディスク装置を用いることにより、記録するデータの参照、消去等を安価かつ容易に行えるようにし、利用性を向上させつつ、効率的にかつ適切にデータの機密と消失を抑制するデータ蓄積装置を提供することを目的としている。
【００１７】
請求項３記載の発明は、第２データ蓄積手段として、光磁気ディスクと当該光磁気ディスクへのデータの読み書きを行う光磁気ディスク書込装置を用いることにより、容易に記録媒体を追加して、データ保存性を向上させるとともに、利用性の良好なデータ蓄積装置を提供することを目的としている。
【００１８】
請求項４記載の発明は、第１データ蓄積手段が、ネットワークを介して参照可能な状態でデータを記録することにより、データの検索性、参照性を向上させ、データの利用性を向上させつつ、適切にデータの機密と消失を抑制するデータ蓄積装置を提供することを目的としている。
【００１９】
請求項５記載の発明は、第２データ蓄積手段が、ネットワークから遮断されて参照不可能な状態でデータが記録されていることにより、第２データ蓄積手段のデータの機密性をより一層向上させ、より一層適切にデータの機密と消失を抑制するデータ蓄積装置を提供することを目的としている。
【００２０】
請求項６記載の発明は、送信されてくるデータが、当該データの本体の他に、データの特性を示す情報として、当該データを記録しておく存在時間と当該存在時間が経過した後に当該データを消去するか継続して保存するか等の処理情報とを含むデータ管理情報が付加されており、当該データ管理情報に基づいて当該データの第１データ蓄積手段と第２データ蓄積手段への蓄積時間とその後の処理を実行することにより、データの保存を依頼する遊佐の作成したデータ管理情報に基づくデータの特性に応じて、セキュリティ強度の異なるデータ蓄積手段に記録するとともに、データの消失を抑制し、より一層効率的にかつより一層適切にデータの機密と消失を抑制するデータ蓄積装置を提供することを目的としている。
【００２１】
請求項７記載の発明は、送信されてきたデータが、データ管理情報の付加されているデータであると、当該データを第１データ蓄積手段とデータ蓄積手段とに記録し、送信されてきたデータがデータ管理情報の付加されていないデータであると、当該データを第１データ蓄積手段にのみ記録することにより、データ管理情報の付加されているデータを機密データとして複数の場所に保存して、突発的な不具合によるデータの消失を未然に防止し、より一層適切にデータの機密と消失を抑制するデータ蓄積装置を提供することを目的としている。
【課題を解決するための手段】
【００２２】
請求項１記載の発明のデータ蓄積装置は、ネットワークに接続され、当該ネットワークから送信されてきたデータをデータ蓄積手段に記録するデータ蓄積装置において、前記データ蓄積手段が、一時的に前記データを記録する第１データ蓄積手段と、恒久的に前記データを記録する第２データ蓄積手段と、を備え、前記ネットワークを介して送信されてきたデータを、当該データの特性に応じて、前記第１データ蓄積手段と前記第２データ蓄積手段を適宜使用して記録することにより、上記目的を達成している。
【００２３】
この場合、例えば、請求項２に記載するように、前記データ蓄積装置は、前記第１データ蓄積手段が、固定磁気ディスク装置であってもよい。
【００２４】
また、例えば、請求項３に記載するように、前記データ蓄積装置は、前記第２データ蓄積手段が、光磁気ディスクと当該光磁気ディスクへの前記データの読み書きを行う光磁気ディスク書込装置であってもよい。
【００２５】
さらに、例えば、請求項４に記載するように、前記データ蓄積装置は、前記第１データ蓄積手段が、前記ネットワークを介して参照可能な状態で前記データを記録するものであってもよい。
【００２６】
また、例えば、請求項５に記載するように、前記データ蓄積装置は、前記第２データ蓄積手段が、前記ネットワークから遮断されて参照不可能な状態で前記データが記録されているものであってもよい。
【００２７】
さらに、例えば、請求項６に記載するように、前記データ蓄積装置は、前記送信されてくるデータが、当該データの本体の他に、前記データの特性を示す情報として、当該データを記録しておく存在時間と当該存在時間が経過した後に当該データを消去するか継続して保存するか等の処理情報とを含むデータ管理情報が付加されており、当該データ管理情報に基づいて当該データの前記第１データ蓄積手段と前記第２データ蓄積手段への蓄積時間とその後の処理を実行するものであってもよい。
【００２８】
また、例えば、請求項７に記載するように、前記データ蓄積装置は、前記送信されてきたデータが、前記データ管理情報の付加されているデータであると、当該データを前記第１データ蓄積手段と前記データ蓄積手段とに記録し、前記送信されてきたデータが前記データ管理情報の付加されていないデータであると、当該データを前記第１データ蓄積手段にのみ記録するものであってもよい。
【発明の効果】
【００２９】
請求項１記載の発明のデータ蓄積装置によれば、ネットワークから送信されてきたデータをデータ蓄積手段に記録するに際して、データ蓄積手段として、一時的にデータを記録する第１データ蓄積手段と、恒久的にデータを記録する第２データ蓄積手段と、を設け、ネットワークを介して送信されてきたデータを、当該データの特性に応じて、第１データ蓄積手段と第２データ蓄積手段を適宜使用して記録するので、データの特性に応じてセキュリティ強度の異なるデータ蓄積手段に記録することができるとともに、データの消失を抑制することができ、効率的にかつ適切にデータの機密と消失を抑制することができる。
【００３０】
請求項２記載の発明のデータ蓄積装置によれば、第１データ蓄積手段として、固定磁気ディスク装置を用いているので、記録するデータの参照、消去等を安価かつ容易に行えるようにすることができ、利用性を向上させることができるとともに、効率的にかつ適切にデータの機密と消失を抑制することができる。
【００３１】
請求項３記載の発明のデータ蓄積装置によれば、第２データ蓄積手段として、光磁気ディスクと当該光磁気ディスクへのデータの読み書きを行う光磁気ディスク書込装置を用いているので、容易に記録媒体を追加して、データ保存性を向上させることができるとともに、利用性を向上させることができる。
【００３２】
請求項４記載の発明のデータ蓄積装置によれば、第１データ蓄積手段が、ネットワークを介して参照可能な状態でデータを記録するので、データの検索性、参照性を向上させることができ、データの利用性を向上させることができるとともに、適切にデータの機密と消失を抑制することができる。
【００３３】
請求項５記載の発明のデータ蓄積装置によれば、第２データ蓄積手段が、ネットワークから遮断されて参照不可能な状態でデータが記録されているので、第２データ蓄積手段のデータの機密性をより一層向上させることができ、より一層適切にデータの機密と消失を抑制することができる。
【００３４】
請求項６記載の発明のデータ蓄積装置によれば、送信されてくるデータが、当該データの本体の他に、データの特性を示す情報として、当該データを記録しておく存在時間と当該存在時間が経過した後に当該データを消去するか継続して保存するか等の処理情報とを含むデータ管理情報が付加されており、当該データ管理情報に基づいて当該データの第１データ蓄積手段と第２データ蓄積手段への蓄積時間とその後の処理を実行するので、データの保存を依頼する遊佐の作成したデータ管理情報に基づくデータの特性に応じて、セキュリティ強度の異なるデータ蓄積手段に記録することができるとともに、データの消失を抑制することができ、より一層効率的にかつより一層適切にデータの機密と消失を抑制することができる。
【００３５】
請求項７記載の発明のデータ蓄積装置によれば、送信されてきたデータが、データ管理情報の付加されているデータであると、当該データを第１データ蓄積手段とデータ蓄積手段とに記録し、送信されてきたデータがデータ管理情報の付加されていないデータであると、当該データを第１データ蓄積手段にのみ記録するので、データ管理情報の付加されているデータを機密データとして複数の場所に保存して、突発的な不具合によるデータの消失を未然に防止することができ、より一層適切にデータの機密と消失を抑制することができる。
【発明を実施するための最良の形態】
【００３６】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００３７】
図１〜図５は、本発明のデータ蓄積装置の一実施例を示す図であり、図１は、本発明のデータ蓄積装置の一実施例を適用したデータ蓄積装置１のブロック構成図である。
【００３８】
図１において、データ蓄積装置１は、データ蓄積手段として、一時的にデータを記録する第１データ蓄積手段としての固定磁気ディスク装置２と、恒久的にデータを記録する第２データ蓄積手段としての光磁気ディスク書込装置３と光磁気ディスク４と、を備え、ネットワークＮＷに接続されている。このネットワークＮＷには、図示しないが、データ蓄積装置１にデータの蓄積を行うコンピュータ、スキャナ等のホスト装置が接続されており、データ蓄積装置１は、ホスト装置から送信されてくるデータを蓄積する。
【００３９】
固定磁気ディスク装置２は、所定の大容量の記憶領域を有しており、ネットワークＮＷを介してホスト装置から送られてきたデータを一時的に記憶する。すなわち、固定磁気ディスク装置２は、ネットワークＮＷを介して参照が可能な状態でデータを記録する。
【００４０】
光磁気ディスク４には、固定磁気ディスク装置２に記憶されたデータのうち、後述するように、ホスト装置から指示されたデータが記録される。
【００４１】
光磁気ディスク書込装置３は、固定磁気ディスク装置２に記憶されているデータのうち、ホスト装置から指示されたデータを光磁気ディスク４に書き込む。この光磁気ディスク書込装置３は、データ蓄積装置１自体の操作部からの動作指示及び予め設定された書込プログラムにのみ基づいてデータの書き込み、読み出し、書き換え、消去等のデータ処理を行い、少なくともその動作機構は、ネットワークＮＷから切り離されており、ネットワークＮＷを介した外部からの動作要求によっては動作しない独立のシステムである。
【００４２】
このホスト装置から送られてくるデータは、機密を要する機密データと機密を要しない通常のデータとがあり、機密データには、常に頻繁に参照される機密データ、時間の経過に伴って参照される頻度が下がる機密データ、時間が経過すると不要になる機密データ及び記録は残さないといけないがいつ参照されるか分からない機密データ等がある。
【００４３】
そこで、この機密データの特性に応じて、ホスト装置のユーザが、当該機密データをネットワークＮＷを介してデータ蓄積装置１に転送する際に、図２に示すように、当該機密データ本体に、当該機密データの固定磁気ディスク装置２への存在時間、当該存在時間が経過した後の処理情報（消去するのか、光磁気ディスク４にのみ保存するのかの情報）を機密データ管理情報（データ管理情報）として追加する。
【００４４】
なお、機密データ管理情報としては、上記存在時間と処理情報のみに限るものではなく、データＩＤやパスワード等の機密データの機密を保護するのに必要な機密保護情報を含んでいてもよい。
【００４５】
また、データ蓄積装置１は、ネットワークＮＷを介してホスト装置等の外部装置からのアクセスに対して、固定磁気ディスク装置２のデータの参照を許可するが、固定磁気ディスク装置２に記録されているデータが機密データであると、データＩＤやパスワード等の機密保護情報の承認を行った後、当該機密データの参照を許可する。
【００４６】
次に、本実施例の作用を説明する。本実施例のデータ蓄積装置１は、蓄積する機密データを存在時間と必要度に応じて２種類のメモリで管理して、機密データのセキュリティ性をより一層向上させつつ意図しない不具合等でのデータの消失を防止している。
【００４７】
すなわち、データ蓄積装置１に機密データを蓄積させるユーザは、ネットワークＮＷに接続されたホスト装置から機密データを転送する際に、図２に示したように、当該機密データ本体に、当該機密データの固定磁気ディスク装置２への存在時間、当該存在時間が経過した後の処理情報（消去するのか、光磁気ディスク４にのみ保存するのかの情報）を機密データ管理情報として追加して、転送する。
【００４８】
データ蓄積装置１は、機密データ管理情報の付加されていないデータが転送されてくると、当該データを、固定磁気ディスク装置２にのみ記録し、光磁気ディスク４には記録しない。
【００４９】
そして、データ蓄積装置１は、機密データ管理情報の付加されている機密データが転送されてくると、当該機密データ管理情報の付加されている機密データを、図３に黒丸で記録状態を示すように、固定磁気ディスク装置２に記録するとともに、光磁気ディスク書込装置３によって光磁気ディスク４に記録して、保存する。なお、上記説明では、機密データ管理情報は、機密データに付加された状態で機密データと一体として、固定磁気ディスク装置２及び光磁気ディスク４に記録されているが、機密データ管理情報は、機密データ本体を管理することができる状態であれば、機密データ本体とは切り離した状態で、別の領域に記録されていてもよい。
【００５０】
このように、データ蓄積装置１は、機密データを受信すると、機密データ管理情報とともに、固定磁気ディスク装置２と光磁気ディスク４の双方に同じ機密データが記録された状態となっている。
【００５１】
したがって、固定磁気ディスク装置２と光磁気ディスク４のいずれかの機密データが破壊されても、他方のディスクである固定磁気ディスク装置２または光磁気ディスク４に機密データが記録されているため、機密データが消失することを防止することができる。
【００５２】
特に、固定磁気ディスク装置は、一般的に、時間経過により不具合が起きやすくなることが知られており、このように、固定磁気ディスク装置２が不良となって、固定磁気ディスク装置２に記録した機密データが破壊されても、光磁気ディスク４側に機密データが残っている。また、光磁気ディスク４は、恒久的なデータ蓄積を行うため、機密データをセキュリティ上極めて安全な状態で保持することができる。
【００５３】
そして、固定磁気ディスク装置２の機密データが破壊された場合、光磁気ディスク４に同じ機密データが保存されているため、光磁気ディスク４から同じ機密データを固定磁気ディスク装置２に書き込んで復帰させることができる。
【００５４】
また、逆に、何らかの原因で、光磁気ディスク４の機密データが破壊された場合は、固定磁気ディスク装置２に同じ機密データが記録されているため、図４に示すように、固定磁気ディスク装置２から同じ機密データを光磁気ディスク４に書き込んで復帰させることができる。
【００５５】
そして、データ蓄積装置１は、機密データ管理情報に基づいて、機密データの管理を行っている。
【００５６】
すなわち、機密データには、上述のように、常に頻繁に参照される機密データ、時間の経過に伴って参照される頻度が下がる機密データ、時間が経過すると不用になる機密データ及び記録は残さないといけないがいつ参照されるか分からない機密データ等があり、この機密データの時間経過に伴う機密特性に応じて、管理を行わないと、ネットワークＮＷを介した不正アクセスによる機密データの流出または不注意による機密データの流出の危険がある。
【００５７】
そこで、本実施例のデータ蓄積装置１は、機密データの転送時にユーザが付加したデータ蓄積装置１での存在時間と当該存在時間が経過した後の処理情報からなる機密データ管理情報に基づいて以下のようにデータ管理処理を行う。
【００５８】
すなわち、データ蓄積装置１は、機密データに付加されている機密データ管理情報の存在時間が経過したかチェックし、存在時間が経過していない機密データは、上述のように、固定磁気ディスク装置２と光磁気ディスク４の双方に記録して、不慮に故障等による機密データの破損を防止しつつ利用性を確保するとともに、データＩＤやパスワード等の機密データの機密を保護するのに必要な機密保護情報で機密を保持している。
【００５９】
そして、付加されている機密データ管理情報の存在時間が経過すると、データ蓄積装置１は、存在時間の経過した機密データの機密データ管理情報の保存か消去を示す処理情報を参照して、その後の処理方法を決定する。
【００６０】
すなわち、データ蓄積装置１は、機密データ管理情報の処理情報が消去情報であると、当該機密データを、固定磁気ディスク装置２と光磁気ディスク４の双方から消去し、機密データ管理情報の処理情報が保存情報であると、図５に示すように、当該機密データを、固定磁気ディスク装置２からのみ消去して、光磁気ディスク４には、当該機密データを記録した状態として保存する。
【００６１】
そして、この光磁気ディスク４へのアクセスは、光磁気ディスク書込装置３によって行われるが、この光磁気ディスク書込装置３は、データ蓄積装置１自体の操作部からの動作指示及び予め設定された書込プログラムにのみ基づいてデータの書き込みを行い、少なくともその動作機構が、ネットワークＮＷから切り離されていて、ネットワークＮＷを介した外部からの動作要求によっては動作しない。
【００６２】
したがって、機密データが、存在時間経過後に固定磁気ディスク装置２から消去された段階でネットワークＮＷ上から物理的に完全に遮断され、光磁気ディスク４に記録されたデータを参照するには、データ蓄積装置１に実際に訪れて操作する必要がある。
【００６３】
そして、このデータ蓄積装置１を、厳重に管理された領域に設置することで、安易に外部の人間が立ち入ることができず、セキュリティを確保することができる。
【００６４】
このように、データ蓄積装置１は、データ蓄積手段として、一時的にデータを記録する固定磁気ディスク装置２と、恒久的にデータを記録する光磁気ディスク書込装置３及び光磁気ディスク４と、を備え、ネットワークＮＷを介して送信されてきたデータを、当該データの特性に応じて、固定磁気ディスク装置２と光磁気ディスク４を適宜使用して記録している。
【００６５】
したがって、データの特性に応じてセキュリティ強度の異なる固定磁気ディスク装置２と光磁気ディスク４に記録することができるとともに、データの消失を抑制することができ、効率的にかつ適切にデータの機密と消失を抑制することができる。
【００６６】
また、本実施例のデータ蓄積装置１は、一時的にデータを記録する第１データ蓄積手段として、固定磁気ディスク装置２を用いている。
【００６７】
したがって、記録するデータの参照、消去等を安価かつ容易に行えるようにすることができ、利用性を向上させることができるとともに、効率的にかつ適切にデータの機密と消失を抑制することができる。
【００６８】
さらに、本実施例のデータ蓄積装置１は、恒久的にデータを記録する第２データ蓄積手段として、光磁気ディスク４と光磁気ディスク４へのデータの読み書きを行う光磁気ディスク書込装置３を用いている。
【００６９】
したがって、容易に記録媒体を追加して、データ保存性を向上させることができるとともに、利用性を向上させることができる。
【００７０】
また、本実施例のデータ蓄積装置１は、第１データ蓄積手段である固定磁気ディスク装置２が、ネットワークＮＷを介して参照可能な状態でデータを記録している。
【００７１】
したがって、データの検索性、参照性を向上させることができ、データの利用性を向上させることができるとともに、適切にデータの機密と消失を抑制することができる。
【００７２】
さらに、本実施例のデータ蓄積装置１は、第２データ蓄積手段である光磁気ディスク書込装置３及び光磁気ディスク４が、ネットワークＮＷから遮断されて参照不可能な状態でデータが記録されている。
【００７３】
したがって、光磁気ディスク４のデータの機密性をより一層向上させることができ、より一層適切にデータの機密と消失を抑制することができる。
【００７４】
また、本実施例のデータ蓄積装置１は、送信されてくるデータが、当該データの本体の他に、データの特性を示す情報として、当該データを記録しておく存在時間と当該存在時間が経過した後に当該データを消去するか継続して保存するか等の処理情報とを含むデータ管理情報が付加されており、当該データ管理情報に基づいて当該データの固定磁気ディスク装置２と光磁気ディスク４への蓄積時間とその後の処理を実行している。
【００７５】
したがって、データの保存を依頼する遊佐の作成したデータ管理情報に基づくデータの特性に応じて、セキュリティ強度の異なるデータ蓄積手段に記録することができるとともに、データの消失を抑制することができ、より一層効率的にかつより一層適切にデータの機密と消失を抑制することができる。
【００７６】
さらに、本実施例のデータ蓄積装置１は、送信されてきたデータが、データ管理情報の付加されているデータであると、当該データを固定磁気ディスク装置２と光磁気ディスク４とに記録し、送信されてきたデータがデータ管理情報の付加されていないデータであると、当該データを固定磁気ディスク装置２にのみ記録している。
【００７７】
したがって、データ管理情報の付加されているデータを機密データとして複数の場所に保存して、突発的な不具合によるデータの消失を未然に防止することができ、より一層適切にデータの機密と消失を抑制することができる。
【００７８】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００７９】
ネットワーク等に接続されて機密データを蓄積するとともに、当該機密データのセキュリティ性を向上させつつ意図しない不具合等でのデータの消失を防止するデータ蓄積装置に適用することができる。
【図面の簡単な説明】
【００８０】
【図１】本発明のデータ蓄積装置の一実施例を適用したデータ蓄積装置のブロック構成図。
【図２】図１のデータ蓄積装置に転送される機密データ管理情報の付加された機密データの一例を示す図。
【図３】図１のデータ蓄積装置による受信した機密データの記録処理の説明図。
【図４】図１のデータ蓄積装置による光磁気ディスク上の破損した機密データの復旧処理の説明図。
【図５】図１のデータ蓄積装置による存在時間経過後に保存が要求されている機密データの光磁気ディスクのみへの保存処理の説明図。
【符号の説明】
【００８１】
１  データ蓄積装置
２  固定磁気ディスク装置
３  光磁気ディスク書込装置
４  光磁気ディスク
ＮＷ  ネットワーク
【図１】
2006011586.tif 000003
【図２】
2006011586.tif 000004
【図３】
2006011586.tif 000005
【図４】
2006011586.tif 000006
【図５】
2006011586.tif 000007